(57)【特許請求の範囲】
【請求項１】
複数のゾーンのそれぞれについて、各ゾーンへのオーディオ信号の出力をモノラルにするか否かを示す設定値を記憶するとともに、各ゾーンに割り当てる出力端子を示す識別情報を記憶する記憶手段と、
複数チャネルを有した複数の入力端子を選択する入力端子選択手段と、
１以上のチャネルを有する出力端子と、
前記入力端子選択手段が選択した入力端子から供給される信号の各チャネルを前記出力端子の対応するチャネルに供給する第１のモードと、前記入力信号選択手段が選択した入力端子から供給される信号の各チャネルの成分を混合してモノラル信号を生成し、前記出力端子の各チャネルに前記モノラル信号を共通に供給する第２のモードとを有するモノラル化手段と、
前記モノラル化手段のモードを、前記記憶手段に記憶された設定値及び識別情報に従って前記ゾーン毎に切り替える切り替え手段と
を有することを特徴とするオーディオ信号出力装置。
【請求項２】
複数のサブゾーンのそれぞれについて、各サブゾーンへのオーディオ信号の出力をモノラルにするか否かを示す設定値を記憶するとともに、各サブゾーンに割り当てる出力端子を示す識別情報を記憶する記憶手段と、
入力される信号に対して所定の処理を行い複数チャネルの出力信号をメインゾーン用の出力信号として出力する処理手段と、
複数チャネルを有した複数の入力端子を選択する入力端子選択手段と、
前記サブゾーン用の出力信号を出力する１以上のチャネルを有する出力端子と、
前記入力端子選択手段が選択した入力端子から供給される信号を前記出力端子の各チャネルに供給する第１のモードと、前記入力信号選択手段が選択した入力端子から供給される信号の各チャネルの成分を混合してモノラル信号を生成し、前記出力端子の各チャネルに前記モノラル信号を共通に供給する第２のモードとを有するモノラル化手段と、
前記モノラル化手段のモードを、前記記憶手段に記憶された設定値及び識別情報に従って前記サブゾーン毎に切り替える切り替え手段と
を有することを特徴とするオーディオ信号出力装置。
【請求項３】
所定の命令信号が供給された場合には、前記処理手段が処理を行った複数チャネルのオーディオ信号をダウンミックスして前記出力端子と同じチャネル数にするダウンミックス手段を有し、
前記入力端子選択手段には、選択対象の一つとして前記ダウンミックス手段の出力信号が設定されていることを特徴とする請求項２記載のオーディオ信号出力装置。
【請求項４】
前記入力端子選択手段、前記モノラル化手段、前記切り替え手段および前記出力端子が複数系統分設けられていることを特徴とする請求項１乃至３いずれかに記載のオーディオ信号出力装置。
【請求項５】
前記入力端子と前記出力端子はステレオのＬチャネルとＲチャネルを有し、
前記モノラル化手段は、前記切り替え手段からモード切替のための制御信号が供給されてオン、オフ制御される第１のスイッチング素子と、
一方の電源端と他方の電源端との間に介挿されるとともに、前記第１のスイッチング素子を介して制御端子に所定の電圧が印可されると、オン状態となって前記一方の電源端から前記他方の電源端に向けて電流を流す第２のスイッチング素子と、
前記ＬチャネルとＲチャネルの間に直列に介挿され、制御端子が前記第２のスイッチング素子の一方の電源端側に接続される第３、第４のスイッチング素子と、
前記第３、第４のスイッチング素子の接続点から前記第２のスイッチング素子の一方の電源端側に順方向に接続されるダイオードと
を有し、前記第３、第４のスイッチング素子および前記ダイオードは、前記第２のスイッチング素子がオン状態のときにオン状態となり、前記第２のスイッチング素子がオフ状態の時にオフ状態となることを特徴とする請求項１乃至４いずれかに記載のオーディオ信号出力装置。
【発明の詳細な説明】
【技術分野】
【０００１】
本発明は、オーディオ信号を出力する技術に関する。
【背景技術】
【０００２】
ＡＶアンプやＡＶレシーバなどのＡＶ装置は、ＤＶＤ(Digital Versatile Disk)プレーヤ、ＣＤ(Compact Disk)プレーヤなどの各種の再生機器や録音再生装置を接続して、ＤＶＤ−Ｖｉｄｅｏ、ＣＤ、ＤＶＤ−Ａｕｄｉｏ、ＳＡＣＤ(Super Audio CD)、Ｖｉｄｅｏ−ＣＤなど多数のメディアを再生することができる。このようなＡＶ装置において、特許文献１では、ユーザが予め設定した機能やパラメータを１回のキー操作で呼び出すようにした機器制御方法が提案されている。この方法によれば、リモコン送信機で操作した入力切換、サラウンドモード切換、グラフィックイコライザの周波数特性の調整、電子ボリウムの音量調整などの各設定内容を記憶し、所定のキー操作により該記憶内容を読み出して各パラメータを読み出された内容に設定することができる。
【０００３】
また、近年では、５．１ｃｈや１１．２ｃｈ等の複数チャネルによるサラウンド機能を備えたＡＶ装置において、複数ゾーン（部屋）に個別のソースを出力する装置が提案されている。このような装置によれば、例えば、シアタールームだけで使うなら９．１ｃｈサラウンドを用い、リビングルームと書斎など２箇所の場合なら５．１ｃｈ＋２ｃｈ＋２ｃｈといった構成で用いることができる。
【特許文献１】特開２００２−１４２２７８号公報
【発明の開示】
【発明が解決しようとする課題】
【０００４】
ところで、上述のような複数チャネルによるサラウンド機能を備えたＡＶ装置を複数のゾーンで用いる場合において、例えば廊下や洗面スペース等をゾーンとして用いる場合には、それらのゾーンに音楽を５．１ｃｈやステレオで流しても適切なリスニングポイントがなくサラウンド効果を得られない場合がある。そのため、スピーカを設置した複数のゾーンのそれぞれでモノラル出力を行いたいという要望をもつ者もいる。
本発明は上述した事情に鑑みてなされたものであり、複数チャネルによるサラウンド機能を備えた装置において、複数のゾーンのそれぞれへのオーディオ信号の出力を、ゾーン毎に個別にモノラル出力にすることのできる技術を提供することを目的とする。
【課題を解決するための手段】
【０００５】
上記課題を解決するために、本発明の好適な態様であるオーディオ信号出力装置は、複数のゾーンのそれぞれについて、各ゾーンへのオーディオ信号の出力をモノラルにするか否かを示す設定値を記憶するとともに、各ゾーンに割り当てる出力端子を示す識別情報を記憶する記憶手段と、複数チャネルを有した複数の入力端子を選択する入力端子選択手段と、１以上のチャネルを有する出力端子と、前記入力端子選択手段が選択した入力端子から供給される信号の各チャネルを前記出力端子の対応するチャネルに供給する第１のモードと、前記入力信号選択手段が選択した入力端子から供給される信号の各チャネルの成分を混合してモノラル信号を生成し、前記出力端子の各チャネルに前記モノラル信号を共通に供給する第２のモードとを有するモノラル化手段と、前記モノラル化手段のモードを、前記記憶手段に記憶された設定値及び識別情報に従って前記ゾーン毎に切り替える切り替え手段とを有することを特徴とする。
【０００６】
また、本発明の別の好適な態様であるオーディオ信号出力装置は、複数のサブゾーンのそれぞれについて、各サブゾーンへのオーディオ信号の出力をモノラルにするか否かを示す設定値を記憶するとともに、各サブゾーンに割り当てる出力端子を示す識別情報を記憶する記憶手段と、入力される信号に対して所定の処理を行い複数チャネルの出力信号をメインゾーン用の出力信号として出力する処理手段と、複数チャネルを有した複数の入力端子を選択する入力端子選択手段と、前記サブゾーン用の出力信号を出力する１以上のチャネルを有する出力端子と、前記入力端子選択手段が選択した入力端子から供給される信号を前記出力端子の各チャネルに供給する第１のモードと、前記入力信号選択手段が選択した入力端子から供給される信号の各チャネルの成分を混合してモノラル信号を生成し、前記出力端子の各チャネルに前記モノラル信号を共通に供給する第２のモードとを有するモノラル化手段と、前記モノラル化手段のモードを、前記記憶手段に記憶された設定値及び識別情報に従って前記サブゾーン毎に切り替える切り替え手段とを有することを特徴とする。
【０００７】
上述の態様において、所定の命令信号が供給された場合には、前記処理手段が処理を行った複数チャネルのオーディオ信号をダウンミックスして前記出力端子と同じチャネル数にするダウンミックス手段を有し、前記入力端子選択手段には、選択対象の一つとして前記ダウンミックス手段の出力信号が設定されていてもよい。
また、上述の態様において、前記入力端子選択手段、前記モノラル化手段、前記切り替え手段および前記出力端子が複数系統分設けられていてもよい。
【０００８】
また、上述の態様において、前記入力端子と前記出力端子はステレオのＬチャネルとＲチャネルを有し、前記モノラル化手段は、前記切り替え手段からモード切替のための制御信号が供給されてオン、オフ制御される第１のスイッチング素子と、一方の電源端と他方の電源端との間に介挿されるとともに、前記第１のスイッチング素子を介して制御端子に所定の電圧が印可されると、オン状態となって前記一方の電源端から前記他方の電源端に向けて電流を流す第２のスイッチング素子と、前記ＬチャネルとＲチャネルの間に直列に介挿され、制御端子が前記第２のスイッチング素子の一方の電源端側に接続される第３、第４のスイッチング素子と、前記第３、第４のスイッチング素子の接続点から前記第２のスイッチング素子の一方の電源端側に順方向に接続されるダイオードとを有し、前記第３、第４のスイッチング素子および前記ダイオードは、前記第２のスイッチング素子がオン状態のときにオン状態となり、前記第２のスイッチング素子がオフ状態の時にオフ状態となるようにしてもよい。
【発明の効果】
【０００９】
本発明によれば、複数チャネルによるサラウンド機能を備えた装置において、複数のゾーンのそれぞれへのオーディオ信号の出力を、ゾーン毎に個別にモノラル出力にすることができる。
【発明を実施するための最良の形態】
【００１０】
以下、図面を参照して、この発明の実施形態について説明する。
＜Ａ：構成＞
本発明は、ＡＶアンプやホームシアター向け商品などの各種ＡＶ装置に適用することができるが、ここでは、ＡＶレシーバ（チューナ付きのＡＶアンプ）に適用した実施の形態について説明する。
図１は、本発明の一実施形態であるＡＶレシーバ１の全体構成を示すブロック図である。図において、制御部１１は、ＣＰＵ（Central Processing Unit）やＲＯＭ（Read Only Memory）、ＲＡＭ（Random Access Memory）を備え、ＲＯＭ又は記憶部１２に記憶されているコンピュータプログラムを読み出して実行することによりＡＶレシーバ１の各部を制御する。記憶部１２は、制御部１１によって実行されるコンピュータプログラムやその実行時に使用されるデータを記憶するための記憶手段であり、例えばＥＥＰＲＯＭ（Electronically Erasable and Programmable ROM）である。表示部１３は、ＬＥＤパネルや液晶パネルなどの表示パネルを備え、制御部１１による制御の下に各種の画像を表示する。操作部１４は、テンキー等の各種キーを備え、ＡＶレシーバ１の操作者による操作に応じた信号を制御部１１に出力する。なお、この実施形態では、表示部１３と操作部１４とがＡＶレシーバ１に含まれている場合について説明するが、表示部１３や操作部１４がＡＶレシーバ１に外付けされる形式であってもよい。
【００１１】
ＡＶレシーバ１は、出力端子７１，７２，…８１の１１個の出力端子と、メインゾーン用のプリアウト端子８２，８３，…９２と、サブゾーン用のプリアウト端子９３，９４，９５とを備えている。出力端子７１，７２，…８１はそれぞれ、スピーカが接続されるようになっている。出力端子７１，７２，…８１に接続された各スピーカへオーディオ信号が出力されることにより、スピーカが設置されたゾーン（部屋）にオーディオ信号の表す楽音や音声が発生されるようになっている。
【００１２】
ここで、ＡＶレシーバ１の利用態様について、図２及び図３を参照しつつ説明する。図２及び図３は、ＡＶレシーバ１に接続されるスピーカの設置態様の一例を示す図である。図２において、メインゾーンＺ１は、ＡＶレシーバ１の利用者がＡＶレシーバ１を主に使用する部屋、例えばリビングルームである。このメインゾーンＺ１には、センタスピーカ３０１、フロントスピーカ（Ｌ）３０２、フロントスピーカ（Ｒ）３０３、サブウーファー（Ｌ）３０４、サブウーファー（Ｒ）３０５、サラウンドスピーカ（Ｌ）３０６、サラウンドスピーカ（Ｒ）３０７、サラウンドバックスピーカ（Ｌ）３０８、サラウンドバックスピーカ（Ｒ）３０９、プレセンススピーカ（Ｌ）３１０、プレセンススピーカ（Ｒ）３１１、リアプレセンススピーカ（Ｌ）３１２、リアプレセンススピーカ（Ｒ）３１３の１１個のスピーカおよび２つのサブウーファーの合計１３個のスピーカが設置されている。
【００１３】
ＡＶレシーバ１は、オーディオ信号のチャネル毎に、そのチャネルに対応する出力端子へそのチャネルのオーディオ信号を出力する。メインゾーンに設置された各スピーカは、供給されるオーディオ信号に応じた音を各チャネル毎に放音し、これにより、メインゾーンＺ１において、１１．２ｃｈのサラウンドが実現される。
【００１４】
次に、図３に示す例において、メインゾーンＺ１には、センタスピーカ３０１、フロントスピーカ（Ｌ）３０２、フロントスピーカ（Ｒ）３０３、サラウンドスピーカ（Ｌ）３０６、サラウンドスピーカ（Ｒ）３０７の５個のスピーカおよび２個のサブウーファー３２０，３２１が設置されている。また、メインゾーンＺ１以外に、ゾーンＺ２，ゾーンＺ３、ゾーンＺ４の３つのゾーン（部屋）が設けられている。ゾーンＺ２には、スピーカ３２２とスピーカ３２３との２つのスピーカが設置されている。ゾーンＺ３には、スピーカ３２４とスピーカ３２５との２つのスピーカが設置されている。ゾーンＺ４には、スピーカ３２６とスピーカ３２７との２つのスピーカが設置されている。各ゾーンＺ２，Ｚ３，Ｚ４に設置されたスピーカは、ＡＶレシーバ１の出力端子に接続され、ＡＶレシーバ１の利用者は、メインゾーンＺ１以外のゾーンＺ２，ゾーンＺ３，ゾーンＺ４のそれぞれでＡＶレシーバ１を用いて楽音や音声を楽しむことができるようになっている。
【００１５】
図１の説明に戻る。記憶部１２は、図示のように、ゾーン設定データ記憶領域１２１を有している。ゾーン設定データ記憶領域１２１には、各ゾーンの設定内容を示すゾーン設定データがゾーン毎に記憶される。
図４は、ゾーン設定データの内容の一例を示す図である。図示のように、ゾーン設定データは、「ゾーンＩＤ」と「ゾーン名称」と「入力ソース」と「音量」と「トーンコントロール設定」と「音響設定」と「出力端子」と「ゾーンＯＮ／ＯＦＦ状態」と「モノラル出力」との各項目が互いに関連付けて記憶されている。これらの項目のうち、「ゾーンＩＤ」の項目には、ゾーンを識別する識別情報が記憶される。「ゾーン名称」の項目には、「リビング」や「キッチン」といった、ゾーンの名称を示すデータが記憶される。「入力種別」の項目には、「ＤＶＤ」や「ＣＤ」といった、電源オン時に選択される入力ソースの種別を示すデータが記憶される。「音量」の項目には、電源オン時に設定される音量を示すデータが記憶される。「トーンコントロール」の項目には、画像のトーンスケールを調整するための調整値を示すデータが記憶される。「音響設定」の項目には、音場付加処理、エフェクト処理等の各種の音響処理の設定内容を示すデータが記憶される。「出力端子」の項目には、各ゾーンに割り当てる出力端子を示す識別情報が記憶される。「ゾーンＯＮ／ＯＦＦ状態」の項目には、各ゾーンのＯＮ（出力あり）／ＯＦＦ（出力なし）状態を示すデータが記憶される。「モノラル出力」の項目には、各ゾーンへのオーディオ信号の出力をモノラルにするか否かを示す設定値（「ＯＮ」又は「ＯＦＦ」）が記憶される。この設定値が「ＯＮ」の場合には、各ゾーンへモノラルオーディオ信号が出力され、一方、「ＯＦＦ」の場合には、ステレオのオーディオ信号が出力される。このゾーン設定データは、ＡＶレシーバ１の利用者が、操作部１４を用いて変更できるようになっている。操作部１４は、操作された内容に応じた操作信号を制御部１１へ出力する。制御部１１は、操作部１４から供給される信号に基づいて、ゾーン設定データをゾーン設定データ記憶領域１２１に記憶する。なお、この実施形態では、メインゾーンＺ１，ゾーンＺ２，ゾーンＺ３，ゾーンＺ４の４つのゾーンを用いる場合（図３に示す利用態様の場合）について説明するが、ゾーンの数はこれに限定されるものではなく、これより多くても少なくてもよい。
【００１６】
図１の説明に戻る。ＡＶレシーバ１は、デジタル入力端子２１，２２，２３と、アナログ入力端子２４，２５，…，３５とを有している。デジタル入力端子２１は、デジタルオーディオ信号が入力される光デジタル音声端子であり、デジタル入力端子２１は、デジタルオーディオ信号が入力される同軸デジタル音声端子である。また、デジタル入力端子２３は、ＨＤＭＩ（High-Definition Multimedia Interface）入力端子である。デジタル入力端子２３に入力されたデジタルオーディオ信号は、ＨＤＭＩリピータ４４を経由してスイッチ回路４３又はメインゾーンセレクタ４５へ供給される。メインゾーンセレクタ４５は、複数のデジタル入力端子２１，２２，２３に入力される信号の中から一つを選択して、メインゾーンへの信号（ＤＳＰ（Digital Signal Processor）４７への入力信号）とする選択手段である。入力端子３８は、インターネット等の通信ネットワークを介してオーディオ信号を受信する及びＵＳＢオーディオの入力端子である。ネットワークＩ／Ｆ４１は、入力端子３８に入力されるオーディオ信号をネットワーク用ＤＡＣ（Digital to Analog Converter）４２又はスイッチ回路４３に供給する。ネットワーク用ＤＡＣ４２は、ネットワークＩ／Ｆ４１から供給されるデジタルオーディオ信号をアナログオーディオ信号に変換するコンバータである。
【００１７】
アナログ入力端子２４は収音するマイクロホンから供給されるアナログオーディオ信号が入力される入力端子であり、アナログ入力端子２５〜３５はそれぞれ、ＣＤ、ＣＤ−Ｒ、ＤＶＤ、ＭＤ／ＴＡＰＥなどのアナログオーディオ信号が入力される入力端子である。この実施形態では、これらの入力端子はＬ、Ｒの２つのチャネルで１つの入力端子が構成される。また、ゾーンＺ２，ゾーンＺ３，ゾーンＺ４に割り当てられた出力端子もそれぞれ、Ｌ、Ｒの２つのチャネルで１つの出力端子が構成されている。
【００１８】
チューナ３６は、ＦＭ放送やＡＶ放送などの電波を受信する受信器であり、チューナ３７は、ＨＤ−ＲＡＤＩＯの電波を受信する受信器である。インプットセレクタ５４は、電源オン時には記憶部１２に記憶されたゾーン設定データに基づき、それ以後は操作部１４の操作に基づいて、アナログ入力端子２４〜３５、チューナ３６，３７から供給されるオーディオ信号のうちのいずれかを選択し、選択したアナログオーディオ信号をメインゾーン用ＡＤＣ５７又はスイッチ回路５０へ供給する。メインゾーン用ＡＤＣは、インプットセレクタ５４から供給されるアナログオーディオ信号をデジタルオーディオ信号に変換し、ＤＩＲ（Digital Interface Receiver）４６へ供給する。
【００１９】
ＤＩＲ４６は、メインゾーンセレクタ４５から供給されるオーディオ信号をスイッチ回路４３へ供給するとともに、メインゾーン用ＡＤＣ５７から供給されるデジタルオーディオ信号をスイッチ回路４３へ供給する。スイッチ回路４３には、ＤＩＲ４６、ＨＤＭＩリピータ４４、ネットワークＩ／Ｆ４１からのデジタルオーディオ信号が供給される。スイッチ回路４３は、供給されるデジタルオーディオ信号のいずれをメインゾーンに割り当てるかを、記憶部１２に記憶されたゾーン設定データを参照して特定し、特定したオーディオ信号を、ＤＳＰ４７へ供給する。
【００２０】
ＤＳＰ４７は、入力される信号に対して所定の処理を行い複数チャネルの出力信号をメインゾーン用の出力信号として出力する処理手段である。ＤＳＰ４７は、入力信号に音場特性を付与する音場処理及び入力信号に所定のデコードを行うデコード処理を施すとともに、スピーカ調整及び環境補正等の各種信号処理を行う。ＤＳＰ４７は、予め劇場やホール等で実測した音場データに基づいた音場処理を施すとともに、ドルビーデジタルやＡＡＣ等のデコード処理を行う。なお、この実施形態では、ＤＳＰ４７は音場処理とデコード処理とを行う構成としたが、いずれか一方の処理を行うようにしてもよい。また、ＤＳＰ４７は、これらの処理に限らず、例えば各種の音響効果を付与する処理を行うようにしてもよい。
【００２１】
ＤＳＰ４７は、信号処理を施したＮチャネル（Ｎは２以上の自然数）のデジタルオーディオ信号をメインゾーン用ＤＡＣ４８に供給する。なお、チャネル数Ｎは、操作部１４を操作することによって適宜設定されるが、この動作例に場合は６に設定されている（５．１チャネル対応）。このＤＳＰ４７は、Ｎチャネルのデジタルオーディオ信号をＭチャネル（Ｍ＜Ｎ；Ｍは自然数）にダウンミックスするミキシング機能を備えている。この場合のＭの値は操作部１４を操作することによって適宜設定されるが、この動作例ではＭは２に設定されている（２ｃｈステレオに対応）。すなわち、ＤＳＰ４７は、所定の命令信号が供給された場合には、信号処理を施した複数チャネルのオーディオ信号をダウンミックスして、各ゾーンに割り当てられた出力端子と同じチャネル数にするダウンミックス手段として機能する。ミキシング機能によってダウンミックスされたデジタルオーディオ信号はサブゾーン用ＤＡＣ４９によってアナログ信号に変換されて、スイッチ回路５１，５２，５３に供給される。
【００２２】
メインゾーン用ＤＡＣ４８は、ＤＳＰ４７から供給されるデジタルオーディオ信号をアナログオーディオ信号に変換し、スイッチ回路５０に供給する。スイッチ回路５０は、どの出力端子に対してどの入力端子に入力されたオーディオ信号を供給するかを切り換える切換手段として機能する。スイッチ回路５０は、操作部１４の操作に基づいて、メインゾーン用ＤＡＣ４８から供給されるオーディオ信号又はインプットセレクタ５４から供給されるオーディオ信号のいずれかをメインゾーン用ボリューム部５５に供給する。メインゾーン用ボリューム調整部５５は、オーディオ信号の音量を操作部１４の操作に基づいて調整し、スイッチ回路５６又はメインゾーン用のプリアウト端子８２，８３，…９２へ出力する。
【００２３】
ゾーンセレクタ５８は、複数チャネルを有した複数の入力端子を選択する入力端子選択手段である。ゾーンセレクタ５８は、アナログ入力端子２４〜３５，チューナ３６，３７のうちのどの入力端子から供給されるオーディオ信号をゾーンＺ２，ゾーンＺ３，ゾーンＺ４に供給するかを、記憶部１２に記憶されたゾーン設定データを参照して特定し、各スイッチ回路５１，５２，５３のぞれぞれのゾーンに対応するオーディオ信号を、各スイッチ回路５１，５２，５３のそれぞれに供給する。
【００２４】
スイッチ回路５１，５２，５３はそれぞれ、複数チャネルを有した複数の入力端子を選択する入力端子選択手段である。スイッチ回路５１，５２，５３は、ダウンミキシング処理が施されたオーディオ信号（サブゾーン用ＤＡＣ４９から供給されるオーディオ信号）と、それ以外の信号（ネットワーク用ＤＡＣ４２からのオーディオ信号及びゾーンセレクタ５８からのオーディオ信号）の中からいずれかを選択して出力する。すなわち、スイッチ回路５１，５２，５３には、選択対象の一つとしてＤＳＰ４７によってダウンミックス処理が施された出力信号が設定されている。なお、この実施形態では、ダウンミキシング処理が施されたオーディオ信号以外の信号として、２種類のオーディオ信号（ネットワーク用ＤＡＣ４２からのオーディオ信号とゾーンセレクタ５８からのオーディオ信号）が入力される構成となっているが、それ以外の信号として入力されるオーディオ信号は２に限らず、これより多くても少なくてもよい。
【００２５】
スイッチ回路５１，５２，５３はそれぞれ、ゾーンＺ２，ゾーンＺ３，ゾーンＺ４のそれぞれに対応して設けられ、制御部１１によって共通に制御される。なお、この実施形態では、３つのスイッチ回路（選択手段）を備える構成となっているが、選択手段の数はこれに限らず、ゾーンに対応して設けられる構成であればよい。スイッチ回路５１は、記憶部１２に記憶されたゾーンＺ２に対応するゾーン設定データに応じて、サブゾーン用ＤＡＣ４９、ネットワーク用ＤＡＣ４２、ゾーンセレクタ５８から供給されるオーディオ信号のうちのいずれかをボリューム調整部５９へ供給する。スイッチ回路５２，５３も、スイッチ回路５１と同様に、記憶部１２に記憶されたゾーン設定データに応じて、サブゾーン用ＤＡＣ４９，ネットワーク用ＤＡＣ４２、ゾーンセレクタ５８から供給されるオーディオ信号のうちのいずれかをボリューム調整部６０，ボリューム調整部６１へそれぞれ供給する。
【００２６】
ボリューム調整部５９は、スイッチ回路５１から供給されるオーディオ信号のボリュームを調整し、モノラル変換部９６へ出力する。ボリューム調整部６０，ボリューム調整部６１も、ボリューム調整部５９と同様に、スイッチ回路５２，スイッチ回路５３のそれぞれから供給されるオーディオ信号の音量を調整し、モノラル変換部９７，９８へそれぞれ供給する。
【００２７】
モノラル変換部９６は、ゾーンセレクタ５８及びスイッチ回路５１が選択した入力端子から供給される信号のＬ、Ｒの各チャネルを出力端子の対応するチャネルに供給する第１のモードと、ゾーンセレクタ５８及びスイッチ回路５１が選択した入力端子から供給される信号の各チャネルの成分を混合してモノラル信号を生成し、出力端子の各チャネルに生成したモノラル信号を共通に供給する第２のモードとを有する。モノラル変換部９６は、制御部１１の制御の下、ゾーン設定データに記憶されたゾーン設定データの「ゾーン２」に対応する「モノラル出力」の設定値に応じた処理を行い、「モノラル出力」の設定値が「ＯＮ」である場合には、モノラル変換部９６は、ボリューム調整部５９から供給されるステレオのオーディオ信号からモノラルオーディオ信号を生成し、ゾーンセレクタ６２又はプリアウト端子９３に出力する。一方、「モノラル出力」の設定値が「ＯＦＦ」である場合には、モノラル変換部９６は、ボリューム調整部５９から供給されるステレオのオーディオ信号をステレオのままゾーンセレクタ６２又はプリアウト端子９３に出力する。
【００２８】
モノラル変換部９７も、モノラル変換部９６と同様に、ゾーン設定データの「モノラル出力」の項目の設定値に応じた処理を行う。「ゾーン３」に対応する「モノラル出力」の値が「ＯＮ」である場合には、モノラル変換部９７は、ボリューム調整部６０から供給されるステレオオーディオ信号からモノラルオーディオ信号を生成し、ゾーンセレクタ６２又はプリアウト端子９４に出力する。一方、「モノラル出力」の項目の値が「ＯＦＦ」である場合には、モノラル変換部９７は、ボリューム調整部６０から供給されるステレオのオーディオ信号をステレオのままゾーンセレクタ６２又はプリアウト端子９４に出力する。ゾーン４用モノラル変換部９８も、同様に、「ゾーン４」に対応する「モノラル出力」の項目の値が「ＯＮ」である場合には、ボリューム調整部６１から供給されるステレオのオーディオ信号からモノラルオーディオ信号を生成し、ゾーンセレクタ６２又はプリアウト端子９５に出力する。一方、「モノラル出力」の項目の値が「ＯＦＦ」である場合には、モノラル変換部９８は、ボリューム調整部６１から供給されるステレオのオーディオ信号をステレオのままゾーンセレクタ６２又はプリアウト端子９５に出力する。
【００２９】
図５は、モノラル変換部９６，９７，９８の回路構成の一例を示す図である。図６は、制御ポートと出力信号との関係を示す図である。図５において、ゾーンモノラル機能がＯＦＦのときは、トランジスタＱ２がＯＮして、ＦＥＴＱ３／Ｑ４のゲートがマイナス電圧になる。その結果、ＦＥＴＱ３／Ｑ４がＯＦＦし、通常通りＬ／Ｒ別々のステレオ信号が出力される。このとき、ソース−ゲート側のダイオードＤは、ソース電位を低いインピーダンスでマイナス側の電位に固定し、ＦＥＴＱ３／Ｑ４のＯＦＦ状態は安定に継続され、ステレオ信号のＬチャネル成分とＲチャネル成分のセパレーションが良好に維持される。
【００３０】
一方、ゾーンモノラル機能をＯＮすると、上述の場合とは逆にＦＥＴＱ３／Ｑ４のゲートがプラス電圧にプルアップされ、これらのＦＥＴＱ３／Ｑ４がＯＮする。その結果、ステレオのＬチャネルとＲチャネルがショートされ、双方の成分が混合されて、ＬチャネルおよびＲチャネルの双方にモノラル信号（Ｌ・Ｒ混合モノラル信号）が出力される。なお、図５におけるオペアンプＯＰ１，ＯＰ２は、各々出力インピーダンスを下げるためのバッファを構成している。また、図５に示す回路はトランジスタＱ１乃至Ｑ４をそれぞれスイッチング素子として用いたが、スイッチング素子としては他のデバイスを用いることもできる。
【００３１】
図１に示すように、スイッチ回路５１，５２，５３、モノラル変換部９６，９７，９８、制御部１１及び出力端子７１〜８１，９３〜９５が、サブゾーンの数だけ複数系統分設けられている。
【００３２】
ゾーンセレクタ６２は、記憶部１２に記憶されたゾーン設定データを参照して、ボリューム調整部５９，６０，６１のそれぞれから供給されるオーディオ信号を、パワーアンプ６３１〜６４１のうちの各ゾーンに対応するパワーアンプへ出力する。パワーアンプ６３１〜６４１には、スピーカが接続されており、パワーアンプ６３１〜６４１から出力されるオーディオ信号はスピーカへと供給される。スピーカはパワーアンプ６３１〜６４１から供給されるオーディオ信号に応じた強度で放音する。
【００３３】
＜Ｂ：動作＞
次に、この実施形態の動作について説明する。以下の説明では、（１）メインゾーンＺ１でＡＶレシーバ１を１１．２ｃｈで利用する場合、すなわち、１１個のメインアンプを全てメインゾーンＺ１で利用する場合と、（２）メインゾーンＺ１で５．１ｃｈで利用し、ゾーンＺ２、ゾーンＺ３、ゾーンＺ４の３つのゾーンでそれぞれ個別に利用する場合、すなわち、メインゾーンＺ１で５個のメインアンプを利用し、ゾーンＺ２〜Ｚ４でそれぞれ２個のメインアンプを利用する場合（利用するメインアンプはこの場合も全部で１１個）について説明する。また、特に（２）の場合にあっては、（３）メインゾーンＺ１、ゾーンＺ２、ゾーンＺ３、ゾーンＺ４の４つのゾーンで同じ入力ソースを流す場合、の３つの場合におけるそれぞれの動作例について説明する。
【００３４】
＜Ｂ−１：メインゾーン１１．２ｃｈ利用動作＞
まず、メインゾーンＺ１でＡＶレシーバ１を１１．２ｃｈで利用する場合の動作の一例について、図２を参照しつつ説明する。まず、ＡＶレシーバ１の利用者は、操作部１４を用いて、オーディオ信号を再生するための操作を行う。操作部１４は、操作された内容に応じた操作信号を制御部１１へ出力し、制御部１１は、操作部１４から供給される信号に基づいて、各種の入力端子に入力されるオーディオ信号を、メインゾーンＺ１に設置された各スピーカへ出力する。なお、２つのサブウーファーＳＷには、端子からプリアンプ部の出力信号が直接供給され、サブウーファーのエンクロージャー内に設けられた内蔵アンプによって増幅される。これにより、メインゾーンＺ１では、１１．２ｃｈのサラウンドが実現される。
【００３５】
ここで、この動作の一例として、デジタル入力端子２３に接続された他の機器から供給されるオーディオ信号を再生する場合の動作を説明する。この場合は、記憶部１２にゾーン設定データは、「メインゾーン」と「ＨＤＭＩ」とが対応付けられて記憶されている。デジタル入力端子２３に入力されたデジタルオーディオ信号は、ＨＤＭＩリピータ４４を経由してスイッチ回路４３へ供給される。スイッチ回路４３では、記憶部１２に記憶されたゾーン設定データに基づいて、ＤＳＰ４７へ供給するオーディオ信号を切り換える。この動作例では、デジタル入力端子２３とメインゾーンとが対応付けられているから、スイッチ回路４３は、デジタル入力端子２３から供給されるオーディオ信号をＤＳＰ４７へ供給する。ＤＳＰ４７は、記憶部１２に記憶されたゾーン設定データに含まれる、メインゾーンＺ１に対応する音響設定に従って、音場付加、エフェクト効果付与等の各種の音響処理をオーディオ信号に施し、音響処理を施したデジタルオーディオ信号をメインゾーン用ＤＡＣ４８へ供給する。
【００３６】
メインゾーン用ＤＡＣ４８は、ＤＳＰ４７から供給されるデジタルオーディオ信号をアナログオーディオ信号に変換し、変換したアナログオーディオ信号をスイッチ回路５０へ供給する。スイッチ回路５０は、記憶部１２に記憶されているゾーン設定データに基づいて、メインゾーン用ボリューム調整部５５に供給するオーディオ信号を切り換える。この動作例においては、メインゾーンＺ１とデジタル入力端子２３とが対応付けられたゾーン設定データがゾーン設定データ記憶領域１２１に記憶されているから、スイッチ回路５０は、デジタル入力端子２３に入力されたオーディオ信号、すなわちメインゾーン用ＤＡＣ４８から供給されるオーディオ信号を、メインゾーン用ボリューム調整部５５に供給する。
【００３７】
メインゾーン用ボリューム調整部５５は、スイッチ回路５０から供給されるオーディオ信号の音量を調整し、スイッチ回路５６へ供給する。スイッチ回路５６は、記憶部１２に記憶されたゾーン設定データに基づいて、メインゾーンに対応するパワーアンプへオーディオ信号を出力する。この動作例では、１１種類のオーディオ信号が、それぞれパワーアンプ６３１，６３２，…６４１へ供給される。パワーアンプ６３１，６３２，…６４１はそれぞれ、スイッチ回路５６から供給されるオーディオ信号を増幅し、増幅したオーディオ信号を各パワーアンプが接続されたスピーカへ出力する。このようにして、メインゾーンＺ１に設置された各スピーカからは、各スピーカに供給されるオーディオ信号に応じた強度で放音される。
【００３８】
＜Ｂ−２：ゾーン別個別再生動作＞
次に、ゾーン毎に個別のソースを再生する場合の動作の一例について、図３を参照しつつ以下に説明する。まず、ＡＶレシーバ１の利用者は、操作部１４を用いて、各ゾーンと出力端子との対応関係を設定するための操作を行う。図４に示す例においては、利用者は、出力端子８２，８３をゾーンＺ２に割り当てるとともに、出力端子７１，７２をゾーンＺ３に割り当て、出力端子８０，８１をゾーンＺ４に割り当てるための操作を行う。操作部１４は、操作された内容に応じた操作信号を制御部１１へ出力し、制御部１１は、操作部１４から供給される信号に応じて、ゾーン設定データを記憶部１２のゾーン設定データ記憶領域１２１記憶する。また、利用者は、操作部１４を操作して、各ゾーンと入力ソースとの対応関係を設定するための操作を行う。操作部１４は操作された内容に応じた操作信号を制御部１１へ出力し、制御部１１は、操作部１４から供給される信号に基づいてゾーンと入力ソースとの対応関係を示すゾーン設定データをゾーン設定データ記憶領域１２１に記憶する。
【００３９】
次に、ＡＶレシーバ１の利用者は、操作部１４を用いて、オーディオ信号を再生するための操作を行う。操作部１４は操作内容に応じて操作信号を出力し、制御部１１は、操作部１４から供給される信号に基づいて、各種の入力端子に入力されるオーディオ信号を、メインゾーンＺ１，ゾーンＺ２，サブゾーンＺ３，サブゾーンＺ４のそれぞれに設置された各スピーカへ出力する。各スピーカは、供給されるオーディオ信号に応じた強度で放音し、これにより、各ゾーンでは、それぞれ個別の入力ソースに応じた放音が行われる。具体的には、例えば、メインゾーンＺ１ではＤＶＤの入力ソースが放音され、ゾーンＺ２ではＣＤ入力のソースが放音され、部屋ＡではＭＤの入力ソースが放音され、といったように、各ゾーンに対応付けられた入力ソースが、各ゾーンのそれぞれで個別に放音される。
【００４０】
このとき、制御部１１は、ゾーン設定データ記憶領域１２１に記憶されたゾーン設定データの各ゾーンの「モノラル出力」の項目の値に基づいて、モノラル変換部９６，９７，９８のそれぞれのモードを切り替える。モノラル変換部９６，９７，９８はそれぞれ、制御部１１の制御の下、ゾーン設定データ記憶領域１２１に記憶されたゾーン設定データの「モノラル出力」の項目が「ＯＮ」の場合には、ボリューム調整部５９，６０，６１から供給されるステレオのオーディオ信号からモノラルのオーディオ信号を生成し、生成したモノラルのオーディオ信号をゾーンセレクタ６２又はプリアウト出力端子９３，９４，９５へ出力する。一方、ゾーン設定データの各ゾーンに対応する「モノラル出力」の項目が「ＯＦＦ」である場合には、モノラル変換部９６，９７，９８は、ステレオのオーディオ信号をそのままゾーンセレクタ６２又はプリアウト出力端子９３，９４，９５へ出力する。
【００４１】
例えば、サブゾーンとして廊下やトイレ、階段などのゾーン（空間）が用いられる場合には、それらのゾーンに音楽をステレオで流しても適切なリスニングポイントがなく効果を得られない場合がある。具体的には、例えば、サブゾーンを廊下とし、廊下の天井に長手方向に沿ってスピーカが配置された場合には、通行人はスピーカを１つずつ通り過ぎるから、ステレオのリスニングポイントを設定することは困難であり、音楽をステレオで流しても効果を好適に得ることはできない。これはトイレや洗面スペースなどにスピーカを１個ずつ配置する場合も同様である。
【００４２】
これに対しこの実施形態では、メインゾーンとサブゾーンとを有するシステムにおいて、サブゾーンのそれぞれについて個別にモノラル出力にすることができ、サブゾーンが廊下等であっても、サブゾーンにおいて聴取者に違和感を与えることなく音楽や音声等を流すことができる。また、この実施形態では、ステレオ出力／モノラル出力を利用者が容易に切り換えることができる。そのため、例えば、ある部屋にて通常はステレオ出力を行う一方、ホームパーティ等を行う場合にはその部屋の出力をモノラル出力にする、といったように、ＡＶレシーバ１の利用者は、それぞれの部屋や、さらにはそれぞれの部屋を利用するその時々のシチュエーション等に応じて、ステレオ出力／モノラル出力を切り換えることができる。
【００４３】
＜Ｂ−３：パーティモード動作＞
次に、メインゾーンＺ１，ゾーンＺ２，ゾーンＺ３，ゾーンＺ４の４つのゾーンで同じ入力ソースを再生する場合（以下「パーティモード」という）の動作の一例について説明する。上述のようにゾーン毎に個別の入力ソースを再生するＡＶレシーバ１において、複数のゾーンで同じソースを再生したい場合がある。具体的には、例えば、複数の部屋を用いてホームパーティを行う場合等において、複数の部屋で同じＢＧＭを流したり、同じタイミングである楽曲を流したりといったことが容易にできれば好適である。この動作例においては、ゾーン毎で個別の入力ソースを再生するＡＶレシーバ１において、複数のゾーンで同じソースを再生する場合の動作例について説明する。
【００４４】
まず、ＡＶレシーバ１の利用者は、操作部１４を用いて、パーティモードを選択するための操作を行う。操作部１４は操作された内容に応じた操作信号を制御部１１へ出力し、制御部１１は、操作部１４から供給される信号に応じて、ＤＳＰ４７やスイッチ回路５１，５２，５３等の制御を行う。
【００４５】
パーティモードが選択されている場合には、ＤＳＰ４７は、制御部１１の制御の下、スイッチ回路４３から供給されるオーディオ信号をメインゾーン用ＤＡＣ４８に供給するとともに、スイッチ回路４３から供給されるオーディオ信号（すなわちメインゾーン用のオーディオ信号）を、そのチャネル数が各ゾーンに割り当てられた出力端子の数と一致するようにダウンミキシング処理を行い、ダウンミキシング処理を施したオーディオ信号をスイッチ回路５１，５２，５３のそれぞれに供給する。また、制御部１１は、パーティモードが選択された旨を示す信号が供給されると、スイッチ回路５１，５２，５３に、サブゾーン用ＤＡＣ４９から供給されるオーディオ信号（すなわちダウンミックス処理が施されたオーディオ信号）を選択させる。スイッチ回路５１，５２，５３は、制御部１１の制御の下、サブゾーン用ＤＡＣ４９から供給されるオーディオ信号を選択し、ボリューム調整部５９，６０，６１のそれぞれに供給する。すなわち、パーティモードが選択されている場合には、スイッチ回路５１，５２，５３の各々は、ゾーンセレクタ５８やネットワーク用ＤＡＣ４２等の他の回路からオーディオ信号が供給されている場合であっても、メインゾーン用のオーディオ信号、すなわちサブゾーン用ＤＡＣ４９から供給されるオーディオ信号を選択して、ボリューム調整部５９，６０，６１のそれぞれに供給する。
【００４６】
そのときに、例えばゾーンＺ３がＯＦＦ（出力なし）の状態であれば、制御部１１はゾーンＺ３への出力をＯＮにする。また、パーティモードが終了した場合には、制御部１１はゾーンＺ３への出力をＯＦＦにする。このように、制御部１１は、ゾーン設定データ記憶領域１２１に記憶されたゾーン設定データの「ゾーンＯＮ／ＯＦＦ状態」の項目を参照して、出力すべき出力信号があるか否かをゾーン毎に判定し、各ゾーンへの出力のオンオフ制御を行う。各ゾーンへの出力のオンオフ制御としては、具体的には、例えば、スイッチ回路５１，５２，５３が信号の出力のオンオフを制御するようにしてもよく、また、例えば、ボリューム調整部５９，６０，６１のそれぞれに、出力あり／なしを切り換えるスイッチ手段を設けて、ゾーンセレクタ６２又はプリアウト出力端子９３，９４，９５への信号の出力のオンオフを制御するようにしてもよい。また、例えば、ボリューム調整部５９，６０，６１のそれぞれが、出力をオフにする場合にはボリュームをゼロにするようにしてもよい。また、例えば、ゾーンセレクタ６２が、各ゾーンに対応するパワーアンプへの信号の出力のオンオフを制御するようにしてもよい。また、例えば、各ゾーンに対応するパワーアンプに供給する電源のオンオフ制御を行うようにしてもよい。要するに、信号の出力のオンオフ制御をゾーン毎に行うものであればよい。
【００４７】
ボリューム調整部５９，６０，６１はそれぞれ、供給されるオーディオ信号のボリュームを調整し、ボリュームを調整したオーディオ信号をそれぞれ、ゾーン２用のモノラル変換部９６，ゾーン３用のモノラル変換部９７，ゾーン４用のモノラル変換部９８に出力する。モノラル変換部９６，９７，９８は、ゾーン設定データ記憶領域１２１に記憶されたゾーン設定データの各ゾーンに対応する「モノラル出力」の項目の設定値に基づいて、「モノラル出力」の項目が「ＯＮ」の場合には、ボリューム調整部５９，６０，６１から供給されるステレオのオーディオ信号からモノラルのオーディオ信号を生成し、生成したモノラルのオーディオ信号をゾーンセレクタ６２又はプリアウト出力端子９３，９４，９５へ出力する。一方、ゾーン設定データの各ゾーンに対応する「モノラル出力」の項目が「ＯＦＦ」である場合には、モノラル変換部９６，９７，９８は、ステレオのオーディオ信号をそのままゾーンセレクタ６２又はプリアウト出力端子９３，９４，９５へ出力する。
【００４８】
モノラル変換部９６，９７，９８から出力された各オーディオ信号はゾーンセレクタ６２を経由してスイッチ回路５６へ供給され、スイッチ回路５６は、ゾーン設定データに基づいて、各オーディオ信号を各ゾーンに対応するパワーアンプに出力する。これにより、ゾーンＺ２，ゾーンＺ３，ゾーンＺ４のそれぞれでは、メインゾーンＺ１と同じソースの音が放音される。
【００４９】
このようにこの実施形態では、マルチゾーンに関して、複数の外部入力信号に対し、出力すべき信号を、それぞれ個別のゾーン毎に選択し、選択されたアナログ信号に対し、Ｌ／Ｒ信号を足し合わせることでモノラル化処理を施し、各ゾーンに対応する出力としてそれぞれモノラル信号を出力する。このようにこの実施形態によれば、複数チャネルによるサラウンド機能を備えた装置において、複数のゾーンのそれぞれで個別にモノラル出力を行うことができる。また、この実施形態では、複数の出力のそれぞれについて、個別にモノラルにするか否かを選択することができる。
【００５０】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、図１に示すように、モノラル変換部９６，９７，９８を、ボリューム調整部５９，６０，６１の後段に設ける構成としたが、モノラル変換部９６，９７，９８の位置はこれに限らず、例えば、図１においてスイッチ回路５１，５２，５３とボリューム調整部５９，６０，６１との間に設ける構成としてもよい。また、例えば、ゾーンセレクタ５８とスイッチ回路５１，５２，５３との間にモノラル変換部９６Ａ，９７Ａ，９８Ａ（図１に鎖線で図示）を設ける構成としてもよい。要するに、モノラル変換部は、ゾーンセレクタ５８又はスイッチ回路５１，５２，５３が選択した入力端子から供給される信号の各チャネルの成分を混合してモノラル信号を生成し、出力端子の各チャネルに生成したモノラル信号を共通に供給するものであればよい。
【００５１】
また、上述の実施形態では、モノラル変換部９６，９７，９８が、入力端子から供給される信号の各チャネルの成分を混合してモノラル信号を生成したが、これに代えて、ＤＳＰ４７が、複数チャネルのオーディオ信号をダウンミックスしてモノラルのオーディオ信号を生成するモノラル化手段として機能する構成としてもよい。
【００５２】
（２）上述の実施形態では、ＡＶレシーバ１は、パワーアンプ６３１，６３２，…６４１と、プリアウト端子８２，８３，…９５との両方を備える構成であったが、これに限らず、プリアウト端子のみを備える構成であってもよく、また、パワーアンプのみを備える構成であってもよい。
【００５３】
（３）上述の実施形態では、３つのモノラル化手段（モノラル変換部９６，９７，９８）を備える構成となっていたが、モノラル化手段の数はこれに限らず、これより多くても少なくてもよい。モノラル化手段は、ゾーン毎に設けられるようにしてもよい。
【００５４】
（４）上述の実施形態では、ＡＶレシーバ１の入力端子の各々は、Ｌ，Ｒの２つのチャネルで１つの入力端子が構成されていたが、入力端子が有するチャネルの数は２に限定されるものではなく、これより多くてもよい。また、上述の実施形態では、ＡＶレシーバ１の出力端子の各々は、Ｌ，Ｒの２つのチャネルで１つの出力端子が構成されていたが、出力端子が有するチャネルの数は２に限らず、これより多くても少なくてもよく、出力端子は、１以上のチャネルを有するものであればよい。例えば、入力端子のチャネル数が６，出力端子のチャネル数が３の場合には、モノラル変換部は、入力端子から供給される６つの各チャネルの成分を混合してモノラル信号を生成し、出力端子の３つの各チャネルに生成したモノラル信号を共通に供給するようにすればよい。
【図面の簡単な説明】
【００５５】
【図１】ＡＶレシーバの全体構成の一例を示すブロック図である。
【図２】メインゾーンにおけるスピーカの配置態様の一例を示す図である。
【図３】メインゾーン及びサブゾーンにおけるスピーカの配置態様の一例を示す図である。
【図４】ゾーン設定データの内容の一例を示す図である。
【図５】モノラル変換部の回路構成の一例を示す図である。
【図６】制御ポートと出力信号との関係を示す図である。
【符号の説明】
【００５６】
１…ＡＶレシーバ、１１…制御部、１２…記憶部、１３…表示部、１４…操作部、２１，２２，２３…デジタル入力端子、２４，２５…アナログ入力端子、３６，３７…チューナ、３８…ネットワークオーディオ及びＵＳＢオーディオの入力端子、４０…サブゾーン用ＤＡＣ、４１…ネットワークＩ／Ｆ、４２…ネットワーク用ＤＡＣ、４３…スイッチ回路、４４…ＨＤＭＩリピータ、４５…メインゾーンセレクタ、４６…ＤＩＲ、４７…ＤＳＰ、４８…メインゾーン用ＤＡＣ、４９…サブゾーン用ＤＡＣ、５０，５１，５２，５３…スイッチ回路、５４…インプットセレクタ、５５…メインゾーン用ボリューム調整部、５６…スイッチ回路、５７…メインゾーン用ＡＤＣ、５８…ゾーンセレクタ、５９，６０，６１…ボリューム調整部、６２…ゾーンセレクタ、７１，７２，…，８１…出力端子、８２，８３，…，９５…プリアウト出力端子、９６，９７，９８…モノラル変換部、１２１…ゾーン設定データ記憶領域、３００…メインゾーン用スピーカ、６３１，６３２，６４１…パワーアンプ、Ｑ１，Ｑ２，Ｑ３，Ｑ４…スイッチング素子、Ｄ…ダイオード、ＯＰ１，ＯＰ２…オペアンプ。
【図１】
0005262017.tif 000002
【図２】
0005262017.tif 000003
【図３】
0005262017.tif 000004
【図４】
0005262017.tif 000005
【図５】
0005262017.tif 000006
【図６】
0005262017.tif 000007